(57)【要約】【課題】被照射体内において電子線を制御し照射対象に電子線線量を集中させることができる電子線照射装置を提供する。【解決手段】電子線治療装置１００は、電子線照射部２００により患者Ｐの腫瘍等の病変部に対して電子線を照射するとともに、磁場印加部３００により電子線の入射方向に対して磁力線が垂直又は平行になるようにそれぞれ患者の病変部を含む深部領域又は電子線照射領域に対して磁場を印加する。【選択図】図１
2010167137.tif 000002
【特許請求の範囲】
【請求項１】
被照射体の照射対象に電子線を照射する電子線照射手段と、
前記被照射体に磁場を印加する磁場印加手段と、
を有し、
前記電子線照射手段により照射された電子線を前記磁場印加手段により印加された磁場で制御することにより電子線線量を前記被照射体の前記照射対象に集中させることを特徴とする、電子線照射装置。
【請求項２】
前記磁場印加手段は、前記電子線照射手段により照射された電子線の入射方向に対して磁力線が垂直になるように前記被照射体の前記照射対象を含む深部領域に磁場を印加することを特徴とする、請求項１に記載の電子線照射装置。
【請求項３】
前記磁場印加手段は、前記電子線照射手段により照射された電子線の入射方向に対して磁力線が平行になるように前記被照射体の電子線被照射領域に磁場を印加することを特徴とする、請求項１に記載の電子線照射装置。
【請求項４】
前記磁場印加手段は、正弦波磁場を印加することを特徴とする、請求項１〜３のいずれか１項に記載の電子線照射装置。
【請求項５】
前記磁場印加手段は、直流磁場を印加することを特徴とする、請求項１〜３のいずれか１項に記載の電子線照射装置。
【請求項６】
磁力線が直交するように配設された少なくとも２つの前記磁場印加手段を有することを特徴とする、請求項１〜５のいずれか１項に記載の電子線照射装置。
【請求項７】
電子線治療装置である、請求項１〜６のいずれか１項に記載の電子線照射装置。
【請求項８】
被照射体の照射対象に電子線を照射する電子線照射ステップと、
前記被照射体に磁場を印加する磁場印加ステップと、
を有し、
前記電子線照射ステップにより照射された電子線を前記磁場印加ステップにより印加された磁場で制御することにより電子線線量を前記被照射体の前記照射対象に集中させることを特徴とする、
電子線照射方法。
【請求項９】
前記磁場印加ステップは、前記電子線照射ステップにより照射された電子線の入射方向に対して磁力線が垂直になるように前記被照射体の前記照射対象を含む深部領域に磁場を印加することを特徴とする、
請求項８に記載の電子線照射方法。
【請求項１０】
前記磁場印加ステップは、前記電子線照射ステップにより照射された電子線の入射方向に対して磁力線が平行になるように前記被照射体の電子線被照射領域に磁場を印加することを特徴とする、
請求項８に記載の電子線照射方法。
【請求項１１】
前記磁場印加ステップは、正弦波磁場を印加することを特徴とする、
請求項８〜１０のいずれか１項に記載の電子線照射方法。
【請求項１２】
前記磁場印加ステップは、直流磁場を印加することを特徴とする、
請求項８〜１０のいずれか１項に記載の電子線照射方法。
【請求項１３】
前記磁場印加ステップは、磁力線が直交するように配設された少なくとも２つの磁場印加手段により磁場を印加することを特徴とする、請求項８〜１２のいずれか１項に記載の電子線照射方法。
【発明の詳細な説明】
【技術分野】
【０００１】
本発明は、被照射体内において電子線を制御し照射対象に電子線線量を集中させることができる電子線照射装置及び電子線治療方法に関する。
【背景技術】
【０００２】
近年の放射線治療では、様々な技術の進歩に伴って放射線線量を腫瘍に集中させることが可能となってきている。例えば、Ｘ線等の光子線を利用した強度変調放射線治療（ＩＭＲＴ）等や、陽子線や炭素線等の粒子線を利用したブロードビーム法やスポットスキャニング照射法等がそれに相当する。しかし、ＩＭＲＴは光子線を利用するものであるため深部方向において腫瘍部分で光子線を停止させることができないという問題があり、粒子線治療は大掛かりな装置を用いる必要があるため設備的にも費用的にも一般病院に普及させることが困難であるという問題があった。
【０００３】
一方、上記以外の放射線治療として、電子線を利用した治療方法が知られている。かかる電子線治療は、リアニック等の電子線発生装置を用いて発生させた高エネルギーの電子線を照射して癌等の腫瘍を治療するものである。
【発明の概要】
【発明が解決しようとする課題】
【０００４】
しかしながら、かかる電子線治療では、電子線の基となる電子の質量はエネルギーにして５１１ｋｅＶであり、患者の体内を構成している原子や分子の質量と比較して非常に軽量であることから、電子線が患者の体内で大きく散乱効果を受けることとなり、電子線の線量分布が広がってしまうという問題があった。また、電子線の線量分布の広がりから電子線の照射範囲に大きな幅が生じてしまうので、特に深部線量分布では、エッジのない線量分布形状となり、腫瘍へ線量を集中させることができないという問題があった。
【０００５】
本発明は上記従来技術の有する問題点に鑑みなされたものであり、その目的とするところは、被照射体内において電子線を制御し照射対象に電子線線量を集中させることができる電子線照射装置を提供することにある。
【課題を解決するための手段】
【０００６】
本発明の上記目的は、下記の手段によって達成される。
【０００７】
（１）すなわち、本発明は、被照射体の照射対象に電子線を照射する電子線照射手段と、前記被照射体に磁場を印加する磁場印加手段と、を有し、前記電子線照射手段により照射された電子線を前記磁場印加手段により印加された磁場で制御することにより電子線線量を前記被照射体の前記照射対象に集中させることを特徴とする、電子線照射装置である。
【０００８】
（２）本発明はまた、前記磁場印加手段は、前記電子線照射手段により照射された電子線の入射方向に対して磁力線が垂直になるように前記被照射体の前記照射対象を含む深部領域に磁場を印加することを特徴とする、（１）に記載の電子線照射装置である。
【０００９】
（３）本発明はまた、前記磁場印加手段は、前記電子線照射手段により照射された電子線の入射方向に対して磁力線が平行になるように前記被照射体の電子線被照射領域に磁場を印加することを特徴とする、（１）に記載の電子線照射装置である。
【００１０】
（４）本発明はまた、前記磁場印加手段は、正弦波磁場を印加することを特徴とする、（１）〜（３）のいずれか１項に記載の電子線照射装置である。
【００１１】
（５）本発明はまた、前記磁場印加手段は、直流磁場を印加することを特徴とする、（１）〜（３）のいずれか１項に記載の電子線照射装置である。
【００１２】
（６）本発明はまた、磁力線が直交するように配設された少なくとも２つの前記磁場印加手段を有することを特徴とする、（１）〜（５）のいずれか１項に記載の電子線照射装置である。
【００１３】
（７）本発明はまた、電子線治療装置である、（１）〜（６）のいずれか１項に記載の電子線照射装置である。
【００１４】
（８）さらに、本発明は、被照射体の照射対象に電子線を照射する電子線照射ステップと、前記被照射体に磁場を印加する磁場印加ステップと、を有し、前記電子線照射ステップにより照射された電子線を前記磁場印加ステップにより印加された磁場で制御することにより電子線線量を前記被照射体の前記照射対象に集中させることを特徴とする、電子線照射方法である。
【００１５】
（９）本発明はまた、前記磁場印加ステップは、前記電子線照射ステップにより照射された電子線の入射方向に対して磁力線が垂直になるように前記被照射体の前記照射対象を含む深部領域に磁場を印加することを特徴とする、（８）に記載の電子線照射方法である。
【００１６】
（１０）本発明はまた、前記磁場印加ステップは、前記電子線照射ステップにより照射された電子線の入射方向に対して磁力線が平行になるように前記被照射体の電子線被照射領域に磁場を印加することを特徴とする、（８）に記載の電子線照射方法である。
【００１７】
（１１）本発明はまた、前記磁場印加ステップは、正弦波磁場を印加することを特徴とする、（８）〜（１０）のいずれか１項に記載の電子線照射方法である。  （１２）本発明はまた、前記磁場印加ステップは、直流磁場を印加することを特徴とする、（８）〜（１０）のいずれか１項に記載の電子線照射方法である。
【００１８】
（１３）本発明はまた、前記磁場印加ステップは、磁力線が直交するように配設された少なくとも２つの磁場印加手段により磁場を印加することを特徴とする、（８）〜（１２）のいずれか１項に記載の電子線照射方法である。
【発明の効果】
【００１９】
本発明の電子線照射装置によれば、電子線照射手段と磁場印加手段とを有し、電子線照射手段により照射された電子線を磁場印加手段により印加された磁場で制御することにより電子線線量を被照射体の照射対象に集中させることができるので、腫瘍等の照射対象を正確に捉え当該部分のみに電子線を照射することができ、省スペースかつ低コストで高精度な放射線治療等を実現することができる。
【００２０】
特に、磁場印加手段により、電子線照射手段により照射された電子線の入射方向に対して磁力線が垂直になるように被照射体の照射対象を含む深部領域に磁場を印加することによって、粒子線のような深部線量分布を形成することができ、照射対象への電子線の線量集中性を極めて高くすることができる。
【００２１】
さらに、磁場印加手段により、電子線照射手段により照射された電子線の入射方向に対して磁力線が平行になるように被照射体の電子線被照射領域に磁場を印加することによって、電子線の線量分布の広がりを抑えて照射対象に線量を集中させることができる。
【図面の簡単な説明】
【００２２】
【図１】本発明の実施形態にかかる電子線照射装置である電子線治療装置１００の全体構成を示すブロック図である。
【図２】入射エネルギーが１０ＭｅＶの電子線における水中の深部ごとの運動エネルギーＫに対する磁場Ｂと曲率半径ρの積の関係を示した図である。
【図３】電子線の入射方向に対して磁力線が垂直になるように磁場を印加した場合の電子線と磁力線の様子を説明するための概念図である。
【図４】電子線の入射方向に対して磁力線が垂直になるように磁場を印加した場合のモンテカルロ法による磁場強度ごとの深部線量分布及び側方向線量分布の計算結果を示す図である。
【図５】電子線の入射方向に対して磁力線が垂直になるように磁場を印加した場合のモンテカルロ法による電子線の運動エネルギー及び磁場強度ごとの深部線量分布の計算結果を示す図である。
【図６】電子線の入射方向に対して磁力線が平行になるように磁場を印加した場合の電子線と磁力線の様子を説明するための概念図である。
【図７】電子線の入射方向に対して磁力線が平行になるように磁場を印加した場合のモンテカルロ法による電子線の運動エネルギーが１２ＭｅＶの場合における磁場強度ごとの深部側方２次元プロファイルの計算結果を示す図である。
【図８】電子線の入射方向に対して磁力線が平行になるように磁場を印加した場合のモンテカルロ法による電子線の運動エネルギーが１５ＭｅＶの場合における磁場強度ごとの深部側方２次元プロファイルの計算結果を示す図である。
【図９】電子線の入射方向に対して磁力線が平行になるように磁場を印加した場合のモンテカルロ法による電子線の運動エネルギーが１８ＭｅＶの場合における磁場強度ごとの深部側方２次元プロファイルの計算結果を示す図である。
【図１０】電子線の入射方向に対して磁力線が平行になるように磁場を印加した場合のモンテカルロ法による電子線の運動エネルギー及び磁場強度ごとの深部線量分布の計算結果を示す図である。
【図１１】電子線治療装置１００における磁場印加部３００の構成例を示す概念図である。
【図１２】電子線治療装置１００における磁場印加部３００の他の構成例を示す概念図である。
【図１３】電子線治療装置１００における磁場印加部３００の他の構成例を示す概念図である。
【図１４】電子線治療装置１００における磁場印加部３００の他の構成例を示す概念図である。
【図１５】電子線治療装置１００における磁場印加部３００の他の構成例を示す概念図である。
【図１６】電子線治療装置１００における磁場印加部３００の他の構成例を示す概念図である。
【発明を実施するための形態】
【００２３】
以下、本発明の実施の形態を、図面を参照して詳細に説明する。
【００２４】
図１は、本発明の実施形態にかかる電子線照射装置である電子線治療装置１００の全体構成を示すブロック図である。図１に示すように、本実施形態に係る電子線照射装置１００は、被照射体（患者）の照射対象（病変部）に電子線を照射する電子線照射部２００、被照射体に磁場を印加する磁場印加部３００、電子線照射装置１００全体の動作を制御する制御部４００等から構成されている。
【００２５】
電子線照射部２００は、電子線を発生する電子線発生部２１０、発生した電子線を拡大する電子線拡大部２２０、電子線を変調して照射対象の厚さに合わせて生体内飛程分布を設定する飛程変調部２３０、電子線の生体内飛程分布が照射対象の位置と適合するよう調整する飛程調整部２４０、電子線の照射野を照射対象の照射平面形状に合わせて設定する照射野限定部２５０、照射対象の三次元形状に合わせて電子線の体内飛程分布を調整する飛程補償部２６０等を有して構成されている。
【００２６】
磁場印加部３００は、後述するように、少なくとも１対の電磁石を有し、交流電源又は直流電源に接続されて被照射体に正弦波磁場又は直流磁場を印加する。
【００２７】
制御部４００は、制御と演算の各種処理を行うＣＰＵ、各種プログラムを記憶するＲＯＭ、作業領域として一時的にデータを記憶するＲＡＭ等から構成される。
【００２８】
図２は、入射エネルギーが１０ＭｅＶの電子線における水中の深部ごとの運動エネルギーＫに対する磁場Ｂと曲率半径ρの積の関係を示した図である。図２に示すように、電子線の運動エネルギーと磁場強度の関係から電子線は磁力線に巻き付き、電子線の運動エネルギーが小さいほど、また高磁場であるほど強く絡み付く特性がある。その結果、磁力線に巻き付いた電子線はその場所で小さく回転しながら（この回転半径は曲率半径に相当する）、持っている運動エネルギーのすべてを放出する。本実施形態にかかる電子線治療装置１００は、電子線照射部２００と磁場印加部３００とを有しているので、磁場印加部３００により患者体内の腫瘍等の病変部近辺に磁場を印加することにより、電子線による病変部への線量集中性を高めた放射線治療を実現することができる。
【００２９】
本実施形態の電子線治療装置１００では、磁場印加部３００による磁場の印加方法には、電子線照射部２００による電子線の入射方向に対して磁力線が垂直になるように印加する方法と、電子線の入射方向に対して磁力線が平行になるように印加する方法とがある。
【００３０】
図３は、電子線の入射方向に対して磁力線が垂直になるように磁場を印加した場合の電子線と磁力線の様子を説明するための概念図である。図３に示すように、電子線の入射方向に対して磁力線が垂直になるように磁場を印加した場合、水タンクの磁場のない領域（深部距離Ｌ）を通過した電子線は、磁場領域に進入するとすぐに磁力線に絡まって巻き付き、回転しながら持っているエネルギーを放出する。
【００３１】
図４は、１５ＭｅＶの運動エネルギーを持つ電子線を５０ｍｍ直径円形の照射野内で均一に水タンクに入射し、電子線の入射面から深部距離５０ｍｍ以降に電子線の入射方向に対して垂直に均一の磁場０、１、２及び３Ｔを印加した場合のモンテカルロ法による線量分布の計算結果を示す図であり、（Ａ）は側方向で積算した深部線量分布を表わし、（Ｂ）は電子線軸上１０ｍｍ×１０ｍｍの照射野領域の深部線量分布を表わし、（Ｃ）は深部距離５０ｍｍにおける磁力線及び電子線と直交方向の側方向線量分布を表わし、（Ｄ）は深部距離５０ｍｍにおける磁力線と平行かつ電子線と直交方向の側方向線量分布を表わす。図４（Ａ）及び（Ｂ）より、深部線量分布においては磁場強度が高くなると電子線が磁力線に絡まる作用が強くなり、電子線が磁場領域に進入してから停止するまでのレンジが短くなり、結果として深部線量分布は陽子線のような線量分布を形成することがわかる。また、深部線量分布のピークは磁場強度が強いほど高くなる。また、図４（Ｃ）及び（Ｄ）より、入射電子線及び磁力線に垂直な方向に関しては、磁場強度が高くなるにつれ線量分布の中心がローレンツ力により僅かに偏移するが、入射電子線に垂直で磁力線に平行な方向に関しては、磁場の影響をほとんど受けないことがわかる。
【００３２】
図５は、１２、１５及び１８ＭｅＶの運動エネルギーを持つ電子線を５０ｍｍ直径円形の照射野内で均一に水タンクに入射し、電子線の入射面から深部距離５０ｍｍ以降に電子線の入射方向に対して垂直に均一の磁場を印加した場合のモンテカルロ法による深部線量分布の計算結果を示す図であり、（Ａ）は磁場強度０Ｔ、（Ｂ）は磁場強度１Ｔ、（Ｃ）は磁場強度２Ｔ及び（Ｄ）は磁場強度３Ｔの場合の深部線量分布を表わす。図５（Ａ）〜（Ｄ）より、電子線の運動エネルギーが高いほど磁場領域での磁場による電子線の拘束量が多く、高いピークを持つ線量分布になることがわかる。
【００３３】
以上より、本実施形態の電子線治療装置１００において、電子線照射部２００により所定の運動エネルギーを有する電子線を患者の腫瘍等の病変部に照射するとともに、病変部を含みそれより深い深部領域に対して、磁場印加部３００により電子線の入射方向に対して磁力線が垂直になるように所定強度の磁場を印加することにより、病変部に対して電子線線量を集中させることができ、粒子線治療等と同等の安全かつ正確な電子線治療を実現することができる。
【００３４】
一方、図６は、電子線の入射方向に対して磁力線が平行になるように磁場を印加した場合の電子線と磁力線の様子を説明するための概念図である。電子は質量が軽いため、電子線の直進性は患者体内ではクーロン散乱により妨げられるが、図６に示すように、電子線の入射方向に対して磁力線が平行になるように磁場を印加すると、電子線は磁力線に絡み付くように自転に近い螺旋回転をしながらピストルの弾丸のように深部方向に直進するようになる。
【００３５】
図７〜９は、１２、１５及び１８ＭｅＶの運動エネルギーを持つ電子線を５０ｍｍ直径円形の照射野内で均一に水タンクに入射し、電子線の入射方向に対して平行に均一の磁場を印加した場合のモンテカルロ法による深部側方２次元プロファイルの計算結果を示す図であり、（Ａ）は磁場強度０Ｔ、（Ｂ）は磁場強度１Ｔ、（Ｃ）は磁場強度２Ｔ及び（Ｄ）は磁場強度３Ｔの場合の深部側方２次元プロファイルを表わす。図７〜９より、電子線が水中で受ける多重散乱による線量分布の広がりは、磁場強度が強いほど抑制されることがわかる。
【００３６】
図１０は、１２、１５及び１８ＭｅＶの運動エネルギーを持つ電子線を５０ｍｍ直径円形の照射野内で均一に水タンクに入射し、電子線の入射方向に対して平行に均一の磁場を印加した場合のモンテカルロ法による電子線軸上１ｃｍ×１ｃｍ照射野領域での深部線量分布の計算結果を示す図であり、（Ａ）は磁場強度０Ｔ、（Ｂ）は磁場強度１Ｔ、（Ｃ）は磁場強度２Ｔ及び（Ｄ）は磁場強度３Ｔの場合の深部線量分布を表わす。図１０（Ａ）〜（Ｄ）より、電子線が磁力線に沿って直進する効果により最深部の線量端が立ち上がっていることがわかる。
【００３７】
従って、本実施形態の電子線治療装置１００において、電子線照射部２００により所定の運動エネルギーを有する電子線を患者の腫瘍等の病変部に照射するとともに、磁場印加部３００により電子線の入射方向に対して磁力線が平行になるように電子線被照射領域に所定強度の磁場を印加することにより、電子線の線量分布の広がりを抑えて病変部に線量を集中させることができるものである。
【００３８】
図１１〜１６は、本実施形態の電子線治療装置１００における磁場印加部３００の構成例を示す概念図である。
【００３９】
図１１及び図１２に示す磁場印加部３００Ａ及び３００Ｂは、いずれも１対の直流電磁石３１０からなり、患者Ｐの頭部に対して、図１１の磁場印加部３００Ａでは左右方向に、図１２の磁場印加部３００Ｂでは上下方向に、それぞれ直流磁場が印加できるように構成されており、いずれも患者Ｐの正面から電子線照射部２００により電子線が照射できるようになっている。磁場印加部３００Ａ及び３００Ｂによれば、電子線の入射方向に対して磁力線が垂直になるように磁場が印加されるので図３〜５に示したような形状の線量分布が得られ、患者Ｐの病変部に対して電子線線量を集中させることができる。
【００４０】
図１３に示す磁場印加部３００Ｃは、１対のドーナツ形状の直流電磁石３２０からなり、患者Ｐの頭部に対して上下方向に直流磁場が印加できるように構成されており、患者Ｐの頭頂から電子線照射部２００により電子線が照射できるようになっている。磁場印加部３００Ｃによれば、電子線の入射方向に対して磁力線が平行になるように磁場が印加されるので図６〜１０に示したような形状の線量分布が得られ、患者Ｐの病変部に対して電子線線量を集中させることができる。
【００４１】
図１４に示す磁場印加部３００Ｄは、磁力線が直交するように配設された２対の直流電磁石３１０からなり、患者Ｐの頭部に対して前後方向に直流磁場が印加できるように構成されており、患者Ｐの正面から電子線照射部２００により電子線が照射できるようになっている。磁場印加部３００Ｄによれば、電子線の入射方向に対して磁力線が平行になるように磁場が印加されるので図６〜１０に示したような形状の線量分布が得られ、患者Ｐの病変部に対して電子線線量を集中させることができる。
【００４２】
図１５及び図１６に示す磁場印加部３００Ｅ及び３００Ｆは、いずれも磁力線が直交するように配設された２対の交流電磁石３３０からなり、患者Ｐの頭部に対して相互に位相がπ／２ずれた正弦波磁場を印加するように構成されており、図１１の磁場印加部３００Ｅでは患者Ｐの頭頂から、図１２の磁場印加部３００Ｆでは患者Ｐの正面から、それぞれ電子線照射部２００により電子線が照射できるようになっている。磁場印加部３００Ｅ及び３００Ｆによれば、電子線の入射方向に対して磁力線が垂直になるように磁場が印加されるので図３〜５に示したような形状の線量分布が得られ、患者Ｐの病変部に対して電子線線量を集中させることができるとともに、直交する相互に位相が半周期ずれた正弦波磁力線によって磁場強度が一定のままで正弦波の周波数に相当した回転する磁場が発生するので、図４（Ｃ）に示したような線量分布の偏移を抑制することができる。
【００４３】
本発明の電子線照射装置は、上記した実施形態に限定されるものではなく、本発明の要旨を逸脱しない範囲内において種々変更を加え得ることは勿論である。
【００４４】
例えば、上記実施形態では、電子線治療装置は専用の電子線照射部と磁場印加部を備えるものであったが、本発明の電子線照射装置はかかる構成に限定されるものではなく、既存の電子線治療装置と既存のＭＲＩ診断装置等の磁場印加装置との組み合わせにより構成されるものであってもよい。例えば、磁場印加装置として既存のＭＲＩ診断装置を利用した場合、上記実施形態における磁場印加部３００Ｂ又は３００Ｃ（図１２又は図１３参照）と同様の磁場印加の態様により電子線治療装置を制御することができる。
【００４５】
また、上記実施形態では、本発明の電子線照射装置を電子線治療装置の例で説明したが、本発明の電子線照射装置は電子線治療装置に限定されるものではなく、各種の電子線照射装置に応用することができる。
【産業上の利用可能性】
【００４６】
上述したように、本発明の電子線照射装置は、電子線照射手段により照射された電子線を磁場印加手段により印加された磁場で制御することにより電子線線量を被照射体の照射対象に集中させることができ、腫瘍等の照射対象を正確に捉え当該部分のみに電子線を照射することができるので、電子線治療装置等として利用した場合極めて有用である。
【符号の説明】
【００４７】
１００  電子線照射装置
２００  電子線照射部
２１０  電子線発生部
２２０  電子線拡大部
２３０  飛程変調部
２４０  飛程調整部
２５０  照射野限定部
２６０  飛程補償部
３００  磁場印加部
３１０，３２０  直流電磁石
３３０  交流電磁石
【図１】
2010167137.tif 000003
【図２】
2010167137.tif 000004
【図３】
2010167137.tif 000005
【図４】
2010167137.tif 000006
【図５】
2010167137.tif 000007
【図６】
2010167137.tif 000008
【図７】
2010167137.tif 000009
【図８】
2010167137.tif 000010
【図９】
2010167137.tif 000011
【図１０】
2010167137.tif 000012
【図１１】
2010167137.tif 000013
【図１２】
2010167137.tif 000014
【図１３】
2010167137.tif 000015
【図１４】
2010167137.tif 000016
【図１５】
2010167137.tif 000017
【図１６】
2010167137.tif 000018